(57)【要約】【課題】遠隔地出向社員、その家族及び所属会社に大きな安心感を与えることができる健康管理システムを提供する。【解決手段】管理センタ３側では、遠隔地出向社員１のバイタル情報が受信され格納される。管理センタ３側では、病院４及びナースステーション５から提供されるこのバイタル情報に基づく健康診断情報及び保健指導情報が取得され、これらが遠隔地出向社員１側からの要求に基づいて送信される。遠隔地出向社員１側では、これら健康診断情報及び保健指導情報が受信されて出力される。また、遠隔地出向社員１側では、遠隔地出向社員１の位置情報が取得され、遠隔地出向社員１が緊急事態であることを示す緊急情報が入力されると、緊急情報と共に位置情報が管理センタ３に送信され、自動的に緊急情報が位置情報と共に緊急連絡先情報が示す連絡先に連絡される。【選択図】　　　図２
2004136063.tif 000002
【特許請求の範囲】
【請求項１】
少なくとも、遠隔地出向社員側と、この遠隔地出向社員の所属会社側と、この遠隔地出向社員の健康に関する情報を管理する管理センタ側と、がインターネットを含む通信回線を介して通信接続され、前記遠隔地出向社員の健康を管理するシステムであって、
前記遠隔地出向社員側においては、
前記遠隔地出向社員の健康に関する情報であるバイタル情報を取得するバイタル情報取得手段と、
前記バイタル情報を前記管理センタに送信するバイタル情報送信手段と、
前記管理センタからの健康診断情報又は保健指導情報の少なくともいずれかが含まれる診断指導情報を受信する診断指導情報受信手段と、
受信された前記診断指導情報を出力する診断指導情報出力手段と、
ＧＰＳ信号を受信して前記遠隔地出向社員の存在位置を示す位置情報を取得する位置情報取得手段と、
前記遠隔地出向社員が緊急事態であることを示す緊急情報を入力する緊急情報入力手段と、
入力された前記緊急情報を前記位置情報と共に前記管理センタに送信する緊急情報送信手段と、が具備され、
前記管理センタ側においては、
前記バイタル情報を受信するバイタル情報受信手段と、
受信された前記バイタル情報を格納するバイタル情報格納手段と、
所定の健康診断情報提供機関から提供される前記バイタル情報に基づく前記遠隔地出向社員の健康状態の診断結果を含む健康診断情報を、取得する健康診断情報取得手段と、
取得された前記健康診断情報を格納する健康診断情報格納手段と、
格納される前記健康診断情報を、前記遠隔地出向社員側からの要求に基づいて、前記遠隔地出向社員側に送信する健康診断情報送信手段と、
前記遠隔地出向社員からの前記緊急情報を受信する緊急情報受信手段と、
前記緊急情報の予め定められた連絡先である緊急連絡先情報を格納する緊急連絡先情報格納手段と、
前記緊急情報の受信に基づいて、自動的に前記緊急情報を前記位置情報と共に前記緊急連絡先情報が示す前記連絡先に連絡する緊急連絡手段と、が具備される、
ことを特徴とする遠隔地出向社員の健康管理システム。
【請求項２】
所定の会社に所属する遠隔地出向社員の健康を管理するシステムであって、
前記遠隔地出向社員の健康に関する情報を管理する管理センタは、
インターネットを含む通信回線を利用して、前記遠隔地出向社員側のバイタル情報送信手段から送信されてくる、前記遠隔地出向社員側のバイタル情報取得手段にて取得された、健康に関する情報であるバイタル情報を受信するバイタル情報受信手段と、
受信された前記バイタル情報を格納するバイタル情報格納手段と、
所定の健康診断情報提供機関から提供される前記バイタル情報に基づく前記遠隔地出向社員の健康状態の診断結果を含む健康診断情報を、取得する健康診断情報取得手段と、
取得された前記健康診断情報を格納する健康診断情報格納手段と、
前記健康診断情報を前記遠隔地出向社員側の診断指導情報出力手段から出力させるために前記遠隔地出向社員側から送信されてくる要求に基づいて、前記健康診断情報格納手段に格納される前記健康診断情報を読み出し、前記通信回線を利用して前記遠隔地出向社員側の診断指導情報受信手段に送信する健康診断情報送信手段と、
前記通信回線を利用して、前記遠隔地出向社員側の緊急情報送信手段から送信されてくる、前記遠隔地出向社員側の位置情報取得手段にてＧＰＳ信号を利用して取得された前記遠隔地出向社員の存在位置を示す位置情報、及び前記遠隔地出向社員側の緊急情報入力手段にて入力された緊急事態であることを示す緊急情報を、受信する緊急情報受信手段と、
前記緊急情報の予め定められた連絡先である緊急連絡先情報を格納する緊急連絡先情報格納手段と、
前記緊急情報の受信に基づいて、自動的に前記緊急情報を前記位置情報と共に前記緊急連絡先情報が示す前記連絡先に連絡する緊急連絡手段と、を装備する、
ことを特徴とする遠隔地出向社員の健康管理システム。
【請求項３】
請求項１又は２記載の健康管理システムにおいて、
前記管理センタ側においては、
所定の保健指導情報提供機関から提供される前記バイタル情報に基づく前記遠隔地出向社員の健康維持の指導に関する情報である前記保健指導情報を、取得する保健指導情報取得手段と、
取得された前記保健指導情報を格納する保健指導情報格納手段と、
格納される前記保健指導情報を、前記遠隔地出向社員側からの要求に基づいて、前記遠隔地出向社員側に送信する保健指導情報送信手段と、が更に具備される、
ことを特徴とする遠隔地出向社員の健康管理システム。
【請求項４】
請求項３記載の健康管理システムにおいて、
前記健康診断情報送信手段及び前記保健指導情報送信手段はそれぞれ、前記健康診断情報及び前記保健指導情報を、前記所属会社健康保健組織にも送信する、
ことを特徴とする遠隔地出向社員の健康管理システム。
【請求項５】
請求項１〜４のいずれか一項に記載の健康管理システムにおいて、
前記緊急連絡先は、前記遠隔地出向社員の所属会社又は前記遠隔地出向社員の関係者が居住する留守宅の少なくともいずれかである、
ことを特徴とする遠隔地出向社員の健康管理システム。
【請求項６】
請求項１〜５のいずれか一項に記載の健康管理システムにおいて、
前記位置情報取得手段及び前記緊急情報入力手段は、前記位置情報及び前記緊急情報を音声周波数信号に変換して出力する機能を有するＧＰＳ端末装置に含まれ、
このＧＰＳ端末は、前記緊急情報送信手段を含み音声周波数信号入力端子を有し且つ前記インターネットに通信接続される無線通信装置、に着脱可能である、
ことを特徴とする遠隔地出向社員の健康管理システム。
【請求項７】
請求項１又は２記載の健康管理システムにおいて、
前記遠隔地出向社員は、前記バイタル情報として、この社員に関する画像情報を取得可能な画像情報取得手段も具備し、
前記健康診断情報は、前記バイタル情報に基づいて医師から出された病状に応じた薬の配合方法を示す処方箋に関する情報も含む、
ことを特徴とする遠隔地出向社員の健康管理システム。
【請求項８】
請求項７記載の健康管理システムにおいて、
前記画像情報取得手段として、インターネットテレビ電話が利用される、
ことを特徴とする遠隔地出向社員の健康管理システム。
【発明の詳細な説明】
【０００１】
【発明の属する技術分野】
本発明は、遠隔地出向社員側と、この遠隔地出向社員の所属会社側と、この遠隔地出向社員の健康に関する情報を管理する管理センタ側と、がインターネットを含む通信回線を介して通信接続され、遠隔地出向社員の健康を管理するシステムに関する。
【０００２】
【従来の技術】
近年、各社のグローバリゼーション等にともない遠隔地出向社員の数が増加する傾向にある。このような遠隔地出向社員は単身赴任による場合がほとんどであり、食生活をはじめとして生活が不規則で不健康になりがちであると共に、その土地に不案内である場合も多い。また、近くにかかりつけの病院がないことは勿論、近くに適当な病院がない場合も多い。
【０００３】
このような状況において、従来、遠隔地出向社員は、所定の交通機関を利用して時間をかけて適当な病院に健康診断に出向いたり、電話回線等を利用して定期的に会社や家族に現況を連絡するのみであり、このような遠隔地出向社員を対象とした有効な健康管理システムは特に提案されていなかった。
【０００４】
【発明が解決しようとする課題】
このような状況において、例えば、出向社員が緊急の病気や不慮の事故等に遭遇した場合には、その現場に通信手段がない場合にはいずれにも連絡の取りようがなく、たとえ通信手段があったとしても、土地勘がない場合が多いので、位置確認が困難な場合も多い。すなわち、正確に緊急事態を連絡するのが困難であるという問題があった。
【０００５】
また、出向社員は、不健康になりがちであるために、健康管理がより必要であるにも拘わらず、適当な医療機関が近くにないため、健康管理がおざなりにされることが多いという問題もあった。
【０００６】
更に、現地で病状に応じて配合された薬を調達するには処方箋が必要とされるが、そのためには医師との面談が必要であったり言葉の問題等で、処方箋を得るのも容易ではないという問題もあった。
【０００７】
したがって、このような状況は、出向社員自身に不安感を与えることは勿論、所属会社や家族等にも大きな不安感を与えるものであった。
【０００８】
よって本発明は、上述した現状に鑑み、遠隔地出向社員、その家族及び所属会社に大きな安心感を与えることができる健康管理システムを提供することを課題としている。
【０００９】
【課題を解決するための手段】
上記課題を解決するためになされた請求項１記載の健康管理システムは、図１の基本構成図に示すように、少なくとも、遠隔地出向社員１側と、この遠隔地出向社員の所属会社６側と、この遠隔地出向社員の健康に関する情報を管理する管理センタ３側と、がインターネットを含む通信回線を介して通信接続され、前記遠隔地出向社員の健康を管理するシステムであって、前記遠隔地出向社員側においては、前記遠隔地出向社員の健康に関する情報であるバイタル情報を取得するバイタル情報取得手段１Ａと、前記バイタル情報を前記管理センタに送信するバイタル情報送信手段１Ｂと、前記管理センタからの健康診断情報又は保健指導情報の少なくともいずれかが含まれる診断指導情報を受信する診断指導情報受信手段１Ｃと、受信された前記診断指導情報を出力する診断指導情報出力手段１Ｄと、ＧＰＳ信号を受信して前記遠隔地出向社員の存在位置を示す位置情報を取得する位置情報取得手段１Ｅと、前記遠隔地出向社員が緊急事態であることを示す緊急情報を入力する緊急情報入力手段１Ｆと、入力された前記緊急情報を前記位置情報と共に前記管理センタに送信する緊急情報送信手段１Ｇと、が具備され、前記管理センタ側においては、前記バイタル情報を受信するバイタル情報受信手段３Ａと、受信された前記バイタル情報を格納するバイタル情報格納手段３Ｂと、所定の健康診断情報提供機関４から提供される前記バイタル情報に基づく前記遠隔地出向社員の健康状態の診断結果を含む健康診断情報を、取得する健康診断情報取得手段３Ｃと、取得された前記健康診断情報を格納する健康診断情報格納手段３Ｄと、格納される前記健康診断情報を、前記遠隔地出向社員側からの要求に基づいて、前記遠隔地出向社員側に送信する健康診断情報送信手段３Ｅと、前記遠隔地出向社員からの前記緊急情報を受信する緊急情報受信手段３Ｉと、前記緊急情報の予め定められた連絡先である緊急連絡先情報を格納する緊急連絡先情報格納手段３Ｊと、前記緊急情報の受信に基づいて、自動的に前記緊急情報を前記位置情報と共に前記緊急連絡先情報が示す前記連絡先に連絡する緊急連絡手段３Ｋと、が具備される、ことを特徴とする。
【００１０】
また、上記課題を解決するためになされた請求項２記載の健康管理システムは、図１の基本構成図に示すように、所定の会社に所属する遠隔地出向社員の健康を管理するシステムであって、前記遠隔地出向社員の健康に関する情報を管理する管理センタ３は、インターネットを含む通信回線を利用して、前記遠隔地出向社員側のバイタル情報送信手段１Ｂから送信されてくる、前記遠隔地出向社員側のバイタル情報取得手段１Ａにて取得された、健康に関する情報であるバイタル情報を受信するバイタル情報受信手段３Ａと、受信された前記バイタル情報を格納するバイタル情報格納手段３Ｂと、所定の健康診断情報提供機関から提供される前記バイタル情報に基づく前記遠隔地出向社員の健康状態の診断結果を含む健康診断情報を、取得する健康診断情報取得手段３Ｃと、取得された前記健康診断情報を格納する健康診断情報格納手段３Ｄと、前記健康診断情報を前記遠隔地出向社員側の診断指導情報出力手段１Ｄから出力させるために前記遠隔地出向社員側から送信されてくる要求に基づいて、前記健康診断情報格納手段３Ｄに格納される前記健康診断情報を読み出し、前記通信回線を利用して前記遠隔地出向社員側の診断指導情報受信手段１Ｃに送信する健康診断情報送信手段３Ｅと、前記通信回線を利用して、前記遠隔地出向社員側の緊急情報送信手段１Ｇから送信されてくる、前記遠隔地出向社員側の位置情報取得手段１ＥにてＧＰＳ信号を利用して取得された前記遠隔地出向社員の存在位置を示す位置情報、及び前記遠隔地出向社員側の緊急情報入力手段１Ｆにて入力された緊急事態であることを示す緊急情報を、受信する緊急情報受信手段３Ｉと、前記緊急情報の予め定められた連絡先である緊急連絡先情報を格納する緊急連絡先情報格納手段３Ｊと、前記緊急情報の受信に基づいて、自動的に前記緊急情報を前記位置情報と共に前記緊急連絡先情報が示す前記連絡先に連絡する緊急連絡手段３Ｋと、を装備する、ことを特徴とする。
【００１１】
請求項１及び２記載の発明によれば、遠隔地出向社員側において、遠隔地出向社員のバイタル情報が取得され、このバイタル情報が管理センタに送信される。管理センタ側においては、バイタル情報が受信され、受信されたバイタル情報が格納され、所定の健康診断情報提供機関４から提供されるバイタル情報に基づく遠隔地出向社員の健康状態の診断結果を含む健康診断情報が取得され、取得された健康診断情報が格納され、格納される健康診断情報が、遠隔地出向社員側からの要求に基づいて、遠隔地出向社員側に送信される。そして、遠隔地出向社員側においては、管理センタからの健康診断情報が受信されて出力される。このように、遠隔地出向社員側では、管理センタから各自の健康状態の診断結果を含む健康診断情報が任意に即時に取得可能である。
【００１２】
また、遠隔地出向社員側においては、遠隔地出向社員の存在位置を示す位置情報が取得され、遠隔地出向社員が緊急事態であることを示す緊急情報が入力されると、緊急情報と共に位置情報が管理センタに送信される。管理センタ側においては、遠隔地出向社員からの緊急情報を受信に基づいて、自動的に緊急情報が位置情報と共に緊急連絡先情報が示す連絡先に連絡される。このように、遠隔地出向社員は、緊急事態を所定の即時に所定の連絡先に連絡できる。
【００１３】
上記課題を解決するためになされた請求項３記載の健康管理システムは、図１の基本構成図に示すように、請求項１又は２記載の健康管理システムにおいて、前記管理センタ側においては、所定の保健指導情報提供機関５から提供される前記バイタル情報に基づく前記遠隔地出向社員の健康維持の指導に関する情報である前記保健指導情報を、取得する保健指導情報取得手段３Ｆと、取得された前記保健指導情報を格納する保健指導情報格納手段３Ｇと、格納される前記保健指導情報を、前記遠隔地出向社員側からの要求に基づいて、前記遠隔地出向社員側に送信する保健指導情報送信手段３Ｈと、が更に具備される、ことを特徴とする。
【００１４】
請求項３記載の発明によれば、請求項１記載の構成に加えて、管理センタ側においては、所定の保健指導情報提供機関５から提供されるバイタル情報に基づく遠隔地出向社員の健康維持の指導に関する情報である保健指導情報が取得され、取得された保健指導情報が格納され、格納される保健指導情報が、遠隔地出向社員側からの要求に基づいて、遠隔地出向社員側に送信される。したがって、遠隔地出向社員側では、各自の健康維持の指導に関する情報である保健指導情報も任意に即時に取得可能である。
【００１５】
上記課題を解決するためになされた請求項４記載の健康管理システムは、図１の基本構成図に示すように、請求項３記載の健康管理システムにおいて、前記健康診断情報送信手段３Ｅ及び前記保健指導情報送信手段３Ｈはそれぞれ、前記健康診断情報及び前記保健指導情報を、前記所属会社健康保健組織６にも送信する、ことを特徴とする。
【００１６】
請求項４記載の発明によれば、健康診断情報及び保健指導情報は、所属会社健康保健組織６にも送信されるので、遠隔地出向社員の所属会社にも安心感を与える。
【００１７】
上記課題を解決するためになされた請求項５記載の健康管理システムは、図１の基本構成図に示すように、請求項１〜４のいずれか一項に記載の健康管理システムにおいて、前記緊急連絡先は、前記遠隔地出向社員の所属会社又は前記遠隔地出向社員の関係者が居住する留守宅７の少なくともいずれかである、ことを特徴とする。
【００１８】
請求項５記載の発明によれば、緊急連絡先は、遠隔地出向社員の所属会社又は遠隔地出向社員の関係者が居住する留守宅７の少なくともいずれかであるので、遠隔地出向社員の緊急事態が確実に認知され、即座に適切な対応をとることが可能になる。
【００１９】
上記課題を解決するためになされた請求項６記載の健康管理システムは、図１の基本構成図に示すように、請求項１〜５のいずれか一項に記載の健康管理システムにおいて、前記位置情報取得手段１Ｅ及び前記緊急情報入力手段１Ｆは、前記位置情報及び前記緊急情報を音声周波数信号に変換して出力する機能を有するＧＰＳ端末装置に含まれ、このＧＰＳ端末１４は、前記緊急情報送信手段１Ｇを含み音声周波数信号入力端子を有し且つ前記インターネットに通信接続される無線通信装置１３、に着脱可能である、ことを特徴とする。
【００２０】
請求項６記載の発明によれば、遠隔地出向社員の位置情報及び緊急情報は、ＧＰＳ端末装置にて音声周波数信号に変換され出力される。このＧＰＳ端末装置は、音声周波数信号入力端子を有し且つインターネットに通信接続される無線通信装置に着脱可能である。したがって、遠隔地出向社員はインターネットに通信接続され、音声周波数信号入力端子を有する無線通信装置を所有してさえいれば、ＧＰＳ端末装置を追加するだけで、どこにいても緊急時の連絡をすることが可能になる。
【００２１】
上記課題を解決するためになされた請求項７記載の健康管理システムは、図１の基本構成図に示すように、請求項１又は２記載の健康管理システムにおいて、前記遠隔地出向社員は、前記バイタル情報として、この社員に関する画像情報を取得可能な画像情報取得手段も具備し、前記健康診断情報は、前記バイタル情報に基づいて医師から出された病状に応じた薬の配合方法を示す処方箋に関する情報も含む、ことを特徴とする。
【００２２】
請求項７記載の発明によれば、遠隔地出向社員に関する画像情報が取得されて、バイタル情報として管理センタ３側に送信される。このため、管理センタ３側では、このバイタル情報に基づいて医師から出された処方箋に関する情報を取得可能になる。したがって、遠隔地出向社員は現地にいながら、病状に応じて配合された薬を調達できるようになる。
【００２３】
上記課題を解決するためになされた請求項８記載の健康管理システムは、図１の基本構成図に示すように、請求項７記載の健康管理システムにおいて、前記画像情報取得手段として、インターネットテレビ電話が利用される、ことを特徴とする。
【００２４】
請求項８記載の発明によれば、遠隔地出向社員に関する画像情報が取得するために、インターネットテレビ電話が利用されるので、高価な設備投資を強いられることなく、病状に応じて配合された最適な薬を現地にいながら調達できるようになる。
【００２５】
【発明の実施の形態】
以下、本発明の実施の形態を図面に基づいて説明する。
図２は、本発明の健康管理システムの一実施形態に係るシステム構成を示す図である。本健康管理システムにおいては、遠隔地出向社員１は、携帯電話通信網２１及びインターネット２等の広域通信網を介して管理センタ３と通信接続されている。管理センタ３は、インターネット２等の広域通信網を介して、病院４、ナースステーション５、所属会社健康保健組合６及び留守宅７にも接続されている。
【００２６】
遠隔地出向社員１は、出向先の家屋内に、インターネット２に接続されたインターネット端末１１、バイタルセンサ機器１２、及びインターネットテレビ電話１５を具備している。また、インターネット対応携帯電話１３及びこれに接続されたＧＰＳ（Ｇｌｏｂａｌ　Ｐｏｓｉｔｉｏｎｉｎｇ　Ｓｙｓｔｅｍｓ）携帯端末１４も具備している。インターネット対応携帯電話１３及びＧＰＳ携帯端末１４は、遠隔地出向社員１が外出する際に携帯される。
【００２７】
インターネット端末１１は、インターネット２に通信接続された公知のデスクトップコンピュータやノート型コンピュータである。インターネット端末１１は、表示部１１１、図示しない操作部、記憶部、通信機能や情報処理機能を有する制御部を含んで構成される。
【００２８】
バイタルセンサ機器１２は、遠隔地出向社員の体温、脈拍、血圧等のバイタル情報を取得する公知の機器が利用可能である。バイタルセンサ機器１２は、例えば、電子体温計、血圧計、心電計等であるが、これらはインターネット端末１１の入出力端子に接続されて、遠隔地出向社員の計測結果を提供する。赤外線を利用して、端末１１に計測結果を送信できるタイプのものであってもよい。また、バイタルセンサ機器１２のみならず、問診に対して、出向社員１が操作部を用いて入力するようにしてもよい。バイタルセンサ機器１２は、請求項のバイタル情報取得手段に相当するが、問診等に対してバイタル情報を手動入力により取得可能な端末１１の操作部もまた請求項のバイタル情報取得手段に相当する。
【００２９】
インターネット対応携帯電話１３は、インターネット２に接続可能な公知の装置が利用可能である。但し、この携帯電話１３は、ＧＰＳ携帯端末１４に接続されて、位置情報を受信するための音声周波数信号入力端子、例えば、マイク端子を具備する。ＧＰＳ携帯端末１４は、ＧＰＳ信号を受信して位置情報を取得する。ＧＰＳ携帯端末１４はまた、緊急情報を入力する緊急指令スイッチ１４３、取得した位置情報及び緊急情報を音声周波数信号に変換して出力する機能を有する。更に、ＧＰＳ携帯端末１４は、携帯電話１３に着脱可能である。このＧＰＳ携帯端末１４については、図３を用いて追加説明する。なお、インターネット対応携帯電話１３は請求項のバイタル情報送信手段、緊急情報送信手段に相当し、ＧＰＳ携帯端末１４は請求項の位置情報取得手段に相当する。
【００３０】
インターネットテレビ電話１５は、インターネット２に接続されて通話と共に双方向の画像情報送受信が可能な、周知の機器が利用される。インターネットテレビ電話１５は、医師が患者の病状に応じた薬の配合方法を示すいわゆる処方箋をだすために、直接面談に替えて、遠隔地にいる患者の様子を視認するための画像情報を提供するものである。但し、必ずしも双方向である必要はなく、本発明の主旨からして少なくとも患者側（出向社員１側）から医師側（管理センタ３側）に画像情報が送信できればよい。インターネットテレビ電話１５は、近年、安価に入手可能になったため、出向社員１は高価な設備投資を強いられることなく処方箋が得られ、病状に応じて配合された最適な薬を現地にいながら調達できるようになる。インターネットテレビ電話１５は、請求項の画像情報取得手段に対応する。
【００３１】
携帯電話通信網２１は既成の通信網であり、図示しない無線基地局を介して、インターネット対応携帯電話１３や通常の携帯電話に通信接続される。インターネット対応携帯電話１３や携帯電話は、いうまでもなく、互いに通話可能であると共に図示しない有線電話とも通話可能である。また、携帯電話通信網２１は、インターネット２を介して、管理センタ３に通信接続される。なお、携帯電話通信網２１としては、例えば、株式会社ＮＴＴドコモからサービス提供されているパケット交換方式を利用した携帯電話パケット通信網を利用することも可能である。携帯電話パケット通信は、通信したデータ量に応じて通信料が計算されるデータ従量制課金方式であるので、低料金で本システムに関するサービスを提供する際の一助となる。
【００３２】
管理センタ３は、一種のＡＳＰ（Ａｐｐｌｉｃａｔｉｏｎ　Ｓｅｒｖｉｃｅ　Ｐｒｏｖｉｄｅｒ）であり、通信機能も有するインターネットサーバ３１及び記憶部３２を含んで構成される。ＡＳＰは、近年普及しつつある、インターネット等の広域通信網を使って各種サービスを提供する事業者であり、この事業者は、例えば、本出願人である。インターネットサーバ３１は、ルータやＤＳＵ（デジタル回線接続装置）を介して、各種情報を受けて、本健康管理システムに係る処理を行う、ＣＰＵ、ＲＡＭ及びＲＯＭを有するコンピュータ装置である。記憶部３２はインターネットサーバ３１に具備される記憶部と考えてもよい。記憶部３２には、本健康管理システムに係るプログラムファイル、図４を用いて後述するバイタル情報データベース、健康診断情報データベース、保健指導情報データベース、緊急連絡先情報データベース及び地図情報データベース等が格納されている。この記憶部３２は、請求項のバイタル情報格納手段、健康診断情報格納手段、緊急連絡先情報格納手段及び保健指導情報格納手段に相当する。これらについては、図４を用いて後述する。
【００３３】
病院４は、遠隔地出向社員１の所属会社が契約等をしている医療機関である。病院４は、インターネット２に通信接続されたコンピュータ４１を具備している。病院４は、バイタル情報データベースを参照しつつ、遠隔地出向社員１の健康状態の診断結果を含む健康診断情報を生成してコンピュータ４１を利用して健康診断情報を管理センタ３に提供する。病院４は、請求項の健康診断情報提供機関に相当する。
【００３４】
ナースステーション５は、看護部のＯＢ等で構成されており、遠隔地出向社員１に対して、遠隔地出向社員１のバイタルデータのスクリーニング、健康アドバイスや保健指導等を行う。ナースステーション５は、インターネット２に通信接続されたコンピュータ５１を具備している。ナースステーション５では、バイタル情報データベース３２１を参照しつつ、それぞれの遠隔地出向社員１の健康維持の指導に関する情報である保健指導情報を生成してコンピュータ５１を利用して管理センタ３に提供する。ナースステーション５は、請求項の保健指導情報提供機関に相当する。
【００３５】
所属会社健康保健組合６は、遠隔地出向社員１の所属会社の組織の一部であり、遠隔地出向社員１の健康状態等を管理する。留守宅７は、遠隔地出向社員１の家族等の関係者が居住する家屋又は人である。これら所属会社健康保健組合６及び留守宅７にもまた、インターネット２に接続されたコンピュータ６１及び７１がそれぞれ配備されている。
【００３６】
なお、現実的には、遠隔地出向社員１は複数となる。また、遠隔地出向社員１が複数の会社の社員であってもよい。
【００３７】
このような構成において、遠隔地出向社員１側において、バイタル情報が取得され、このバイタル情報が管理センタ３に送信される。管理センタ３側においては、このバイタル情報が受信され、受信されたバイタル情報が格納される。また、病院４から提供されるバイタル情報に基づく健康診断情報が取得され、これが遠隔地出向社員１側からの要求に基づいて送信される。そして、遠隔地出向社員１側においては、健康診断情報が受信されて出力される。また、管理センタ側においては、ナースステーション５から提供されるバイタル情報に基づく保健指導情報が取得され、これが遠隔地出向社員１側からの要求に基づいて出向社員１に送信される。したがって、出向社員１に大きな安心感を与えることができる。
【００３８】
また、遠隔地出向社員１側においては、遠隔地出向社員１の位置情報が取得され、遠隔地出向社員１が緊急事態であることを示す緊急情報が入力されると、緊急情報と共に位置情報が管理センタ３に送信される。管理センタ３側においては、自動的に緊急情報が位置情報と共に緊急連絡先情報が示す連絡先に連絡される。したがって、出向社員１に大きな安心感を与えることができると共に、出向社員１の救命の一助となることもある。
【００３９】
なお、現地調剤薬局９もインターネット２に接続されるようにしてもよい。そうすると、現地調剤薬局９は、インターネット２を利用して、管理センタ３側から遠隔地出向社員１の処方箋を取得できるため、病状に応じて配合された最適な薬を、より迅速に遠隔地出向社員１に提供することが可能になる。
【００４０】
次に、上記ＧＰＳ端末１４について説明を加える。図３は、本発明の一実施形態に係るＧＰＳ端末の構成を示すブロック図である。図３に示すように、このＧＰＳ端末１４は、制御部１４０、ＧＰＳアンテナ１４１ａ、ＧＰＳ受信部１４１、記憶部１４２、緊急指令スイッチ１４３、ＡＦＳＫモデム部１４４、入出力端子１４５及び電池１４６を含んで構成される。
【００４１】
制御部１４０は、基本的にＣＰＵ、ＲＯＭ、及びＲＡＭから構成され、ＣＰＵはＲＯＭに記憶されている制御プログラムにしたがって本実施形態に係る処理手順を含む各種処理を実行する。ＲＡＭには、ＣＰＵが各種の処理を実行するうえにおいて必要なデータ、プログラム等が適宜記憶される。
【００４２】
ＧＰＳ受信部１４１は、ＧＰＳアンテナ１４１ａを介して、ＧＰＳを構成する複数のＧＰＳ衛星からの電波を受信して現在位置情報を測定して、この情報を制御部１４０に供給する。このＧＰＳアンテナ１４１ａ及びＧＰＳ受信部１４１は、公知の装置を利用可能である。
【００４３】
記憶部１４２には、このＧＰＳ端末１４を特定する端末ＩＤ１４２ａが格納されている。ＧＰＳ端末１４に携帯電話が接続される場合には、その電話番号を代用することにより不要であるが、ＧＰＳ端末１４にＩＤを持たない無線通信装置が接続される場合には、位置情報の送信元を特定するために有効となる。
【００４４】
緊急指令スイッチ１４３は、この端末１４を携帯する遠隔地出向社員が緊急事態であることを示す緊急情報を手動入力するためのもの例えばプッシュボタンである。このような緊急指令スイッチ１４３を設けることにより、声を発することが困難な状況下にいる人や声を発することができない人等でも緊急情報が送信できるようになる。緊急指令スイッチ１４３は、請求項の緊急情報入力手段に相当する。
【００４５】
ＡＦＳＫ（Ａｕｄｉｏ　ｆｒｅｑｕｅｎｃｙ　ｓｈｉｆｔ　ｋｅｙｉｎｇ）モデム部１４４は、取得した位置情報や入力された緊急情報を音声周波数信号に変換する機能を有する。このＡＦＳＫモデム部１４４としては、上記制御部１４０としてのＣＰＵが一体化された既存のＡＦＳＫモデムボードが利用可能である。
【００４６】
入出力端子１４５は、インターネット対応携帯電話１３等のマイク端子１３１と接続可能なスピーカピン、マイクピン、共通ピン、コントロールピンを備えた４端子型、又は、スピーカピン、共通ピン、マイク／コントロールピンを備えた３端子型のものが使用される。入出力端子１４５としては、既存の携帯電話のマイク端子の形状に対応したものが好ましい。電池１４６は、通常の乾電池や繰り返し充電可能な２次電池が使用可能である。
【００４７】
上記入出力端子１４５に接続されるインターネット対応携帯電話１３は、請求項の無線通信装置に相当し、インターネットと接続可能な周知の携帯電話であるが、特に、音声周波数信号入力端子として、ハンズフリー通話時等に利用されるマイク端子１３１を具備している。このマイク端子１３１に、ＧＰＳ携帯端末１４からの音声周波数信号に変換された位置情報及び緊急情報が入力されて、この携帯電話１３からインターネットを介して管理センタ３に、位置情報及び緊急情報が送信される。インターネット対応携帯電話１３は、周知であるので、ここでは詳細な説明は省略する。なお、このＧＰＳ端末１４と同等の技術は、特願２００２−１２６１２６においても本出願人から出願されている。このようなＧＰＳ端末１４により、ＧＰＳ機能がない携帯電話であっても容易に本システムに適用可能になる。
【００４８】
次に、図４を用いて、遠隔地出向社員、管理センタ、病院、ナースステーション、所属会社健康保健組合、留守宅の間における情報の授受等について説明する。図４は、遠隔地出向社員、管理センタ、病院、ナースステーション、所属会社健康保健組合、留守宅の間における情報の授受、並びに、各データベースについて説明するための図である。
【００４９】
まず、それぞれの遠隔地出向社員１は、各自上記バイタルセンサ機器１２を利用して、自身の体温、脈拍及び血圧を含むバイタル情報を取得する。このバイタル情報は、インターネット端末１１から送信されてインターネット２を介して管理センタ３に至る。管理センタ３のインターネットサーバ３１は、これらバイタル情報を受信し、個人別にバイタル情報データベース３２１として記憶部３２に格納しておく。このバイタル情報データベース３２１は契約する病院４にインターネット２を介して提供される。この病院４は、バイタル情報データベース３２１を参照しつつ、それぞれの遠隔地出向社員１の健康状態の診断結果を含む健康診断情報を生成して健康診断情報をコンピュータ４１を利用して管理センタ３に提供する。管理センタ３のインターネットサーバ３１は、インターネット２を介して受信したそれぞれの遠隔地出向社員１の健康診断情報を、健康診断情報データベース３２２として記憶部３２に格納しておく。
【００５０】
また、バイタル情報データベース３２１は契約、或いは、遠隔地出向社員１の所属会社に関連するナースステーション５にもインターネット２を介して提供される。このナースステーション５は、バイタル情報データベース３２１を参照しつつ、それぞれの遠隔地出向社員１の健康維持の指導に関する情報である保健指導情報を生成して健康診断情報を管理センタ３にコンピュータ５１を利用して提供する。管理センタ３のインターネットサーバ３１は、それぞれの遠隔地出向社員１の保健指導情報を保健指導情報データベース３２３として記憶部３２に格納しておく。
【００５１】
遠隔地出向社員１は、自身の健康診断情報及び保健指導情報を知りたい場合には、このための要求をインターネット端末１１を利用して管理センタ３に送信する。管理センタ３のインターネットサーバ３１は、インターネット２を介して送信されてきた遠隔地出向社員１からの要求に応じて、上記記憶部３２に格納されている健康診断情報データベース３２２及び保健指導情報データベース３２３にアクセスして、該当する遠隔地出向社員１の健康診断情報及び保健指導情報を抽出して返送する。そして、遠隔地出向社員１は、インターネット端末１１にて健康診断情報及び保健指導情報を受信する。これら健康診断情報及び保健指導情報は表示部１１１に表示出力される。インターネット端末１１は請求項の診断指導情報受信手段に相当し、特に、表示部１１１は請求項の診断指導情報出力手段に相当する。
【００５２】
なお、上記健康診断情報及び保健指導情報は、それぞれの遠隔地出向社員１の所属会社健康保健組合６のコンピュータ６１にも送信される。この健康診断情報及び保健指導情報は、所属会社を経由して、出向社員１の留守宅７に郵送等で知らせることが可能である。
【００５３】
また、遠隔地出向社員１側においては、上記ＧＰＳ端末１４によって、周期的に位置情報が取得されている。そして、緊急時において、この出向社員１にて、緊急指令スイッチ１４３が操作されると、すなわち、緊急情報が入力されると、この緊急情報と共に位置情報がインターネット対応携帯電話１３からインターネット２を介して管理センタ３に送信される。管理センタ３のインターネットサーバ３１は、遠隔地出向社員１からの緊急情報を受信すると、緊急連絡先情報データベース３２４にアクセスして、予め指定された連絡先に自動的にその旨連絡する。この連絡先としては、この出向社員１の所属会社又は出向社員１の関係者が居住する留守宅７の少なくともいずれであることが好ましい。なお、緊急連絡先としては、出向先の警察署、消防署、病院等を指定することも可能である。こうすることにより、確実に、遠隔地出向社員の緊急事態が確実に認知されて、即座に適切な対応をとることが可能になる。この際、位置情報と共に地図情報データベース３２５から取得される関連地域の地図を送信する。こうすることにより、より即座に適切な対応をとることが可能になる。また、出向社員の救命の一助となることもある。なお、上記のような処理を行うインターネットサーバ３１は、請求項のバイタル情報受信手段、健康診断情報送信手段、保健指導情報送信手段、健康診断情報取得手段、保健指導情報取得手段、及び緊急連絡手段に相当する。
【００５４】
更に、遠隔地出向社員１が、現地で病状に応じて配合された薬を調達するために処方箋が必要なときには、上記インターネットテレビ電話１５を用いて、管理センタ３を経由して病院４の医師にアクセスする。そして、テレビ電話１５上での面談及び上記バイタル情報を参照して、病院４の医師は最適な処方箋をだす。この処方箋に関する情報は、管理センタ３に健康診断情報データベース３２２として記憶部３２に格納されると共に、遠隔地出向社員１側にも送信される。そして、遠隔地出向社員１は、インターネット端末１１にて健康診断情報のひとつとして、処方箋を入手できる。
【００５５】
このように、本発明の実施形態によれば、遠隔地出向社員、その家族及び所属会社の全てに大きな安心感を与えることができる。
【００５６】
なお、管理センタ３は、複数の会社それぞれの遠隔地出向社員１を管理するようにしてもよく、この場合、病院４、ナースステーション５、所属会社健康保健組合６及び留守宅７も、それぞれの会社に応じた数となる。また、管理センタ３は、出向社員の健康診断書の転送サービス等の付加サービスを提供するようにしてもよい。本発明は、その主旨を逸脱しない範囲で適宜変更可能であり、これらも含むものである。
【００５７】
【発明の効果】
以上説明したように、請求項１及び２記載の発明によれば、遠隔地出向社員側では、管理センタから各自の健康状態の診断結果を含む健康診断情報が任意に即時に取得可能であるので、出向社員に安心感を与えることができる。また、遠隔地出向社員は、緊急事態を所定の即時に所定の連絡先に連絡できるので、出向社員により安心感を与えることができる。また、出向社員の救命の一助となることもある。
【００５８】
請求項３記載の発明によれば、請求項１記載の構成に加えて、管理センタ側においては、所定の保健指導情報提供機関５から提供されるバイタル情報に基づく遠隔地出向社員の健康維持の指導に関する情報である保健指導情報が取得され、取得された保健指導情報が格納され、格納される保健指導情報が、遠隔地出向社員側からの要求に基づいて、遠隔地出向社員側に送信される。したがって、遠隔地出向社員側では、各自の健康維持の指導に関する情報である保健指導情報も任意に即時に取得可能であるので、出向社員により安心感を与えることができる。
【００５９】
請求項４記載の発明によれば、健康診断情報及び保健指導情報は、所属会社健康保健組織６にも送信されるので、遠隔地出向社員の所属会社にも安心感を与えることができる。
【００６０】
請求項５記載の発明によれば、緊急連絡先は、遠隔地出向社員の所属会社又は遠隔地出向社員の関係者が居住する留守宅７の少なくともいずれかであるので、遠隔地出向社員の緊急事態が確実に認知され、即座に適切な対応をとることが可能になる。したがって、出向社員、家族及び所属会社に安心感を与えることができる。
【００６１】
請求項６記載の発明によれば、遠隔地出向社員の位置情報及び緊急情報は、ＧＰＳ端末装置にて音声周波数信号に変換され出力される。このＧＰＳ端末装置は、音声周波数信号入力端子を有し且つインターネットに通信接続される無線通信装置に着脱可能である。したがって、遠隔地出向社員はインターネットに通信接続され、音声周波数信号入力端子を有する無線通信装置を所有してさえいれば、ＧＰＳ端末装置を追加するだけで、どこにいても緊急時の連絡をすることが可能になる。したがって、大幅なコスト増を強いることなく、遠隔地出向社員に安心感を与えることができる。
【００６２】
請求項７記載の発明によれば、遠隔地出向社員に関する画像情報が取得されて、バイタル情報として管理センタ３側に送信される。このため、管理センタ３側では、このバイタル情報に基づいて医師から出された処方箋に関する情報を取得可能になる。したがって、遠隔地出向社員は現地にいながら、病状に応じて配合された薬を調達できるようになり、遠隔地出向社員により大きな安心感を与えることができる。
【００６３】
請求項８記載の発明によれば、遠隔地出向社員に関する画像情報が取得するために、インターネットテレビ電話が利用されるので、高価な設備投資を強いられることなく、病状に応じて配合された最適な薬を現地にいながら調達できるようになる。したがって、大幅なコスト増を強いることなく、遠隔地出向社員により大きな安心感を与えることができる。
【図面の簡単な説明】
【図１】本発明の基本構成を示すブロック図である。
【図２】本発明の健康管理システムの一実施形態に係るシステム構成を示す図である。
【図３】本発明の一実施形態に係るＧＰＳ端末の構成を示すブロック図である。
【図４】遠隔地出向社員、管理センタ、病院、ナースステーション、所属会社健康保健組合、留守宅の間における情報の授受、並びに、各データベースについて説明するための図である。
【符号の説明】
１　遠隔地出向社員
２　インターネット
３　管理センタ
４　病院（健康診断情報提供機関）
５　ナースステーション（保健指導情報提供機関）
６　所属会社健康保健組合（所属会社健康保健組織）
７　留守宅
８　ＧＰＳ衛星
９　現地調剤薬局
１１　インターネット端末
１２　バイタルセンサ機器
１３　インターネット対応携帯電話（無線通信装置）
１４　ＧＰＳ端末
１５　インターネットテレビ電話
２１　携帯電話通信網
３１　インターネットサーバ
３２　記憶部
【図１】
2004136063.tif 000003
【図２】
2004136063.tif 000004
【図３】
2004136063.tif 000005
【図４】
2004136063.tif 000006